(57)【要約】【課題】洗濯機本体の上部に設けた操作パネル部の内方に制御装置を固定した洗濯機において、操作パネル部の内方に制御装置を取り付ける際に、ねじ固定を廃止し、生産性を向上してコストを低減する。【解決手段】洗濯機本体の上部を覆う上部枠体の一部を操作パネル部１８により覆い、この操作パネル部１８の内方に制御装置２０を設け、制御装置２０は、制御基板２７とこの制御基板２７を内部に収納する制御基板収納部２８とを有する。制御基板収納部２８は、操作パネル部１８の裏面に設けた爪部３０のみで係止し、操作パネル部１８の裏面に取り付ける構成とする。【選択図】  図１
2004215825.tif 000002
【特許請求の範囲】
【請求項１】
洗濯機本体と、この洗濯機本体の上部を覆う上部枠体と、この上部枠体の一部を覆う操作パネル部と、この操作パネル部の内方に設けた制御装置とを備え、前記制御装置は、制御基板とこの制御基板を内部に収納する制御基板収納部とを有し、前記制御基板収納部は、前記操作パネル部の裏面に設けた爪部のみで係止し前記操作パネル部の裏面に取り付ける構成とした洗濯機。
【請求項２】
爪部で係止する位置は、制御基板収納部の左右略対角位置とした請求項１記載の洗濯機。
【請求項３】
制御基板収納部には、操作パネル部の裏面に一体形成した位置規制部の対応位置に位置規制対応部を設け、前記位置規制部と位置規制対応部とを係合して位置規制した請求項１または２記載の洗濯機。
【請求項４】
位置規制部は爪部の近傍に設けた請求項１〜３のいずれか１項に記載の洗濯機。
【請求項５】
制御基板収納部の外周面にに鍔部を設け、前記鍔部を上部枠体に設けた第１の支持部と操作パネル部に設けた第２の支持部とにより挟持し制御装置を固定するよう構成した請求項１〜４のいずれか１項に記載の洗濯機。
【発明の詳細な説明】
【０００１】
【発明の属する技術分野】
本発明は、洗濯機本体の上部に設けた操作パネル部の内方に制御装置を固定した洗濯機に関するものである。
【０００２】
【従来の技術】
従来、この種の洗濯機は図５および図６に示すような構成が一般的であった。以下、その構成について説明する。
【０００３】
図５に示すように、洗濯機本体１は、内部に洗濯槽２を支持し、この洗濯機本体１の上部に上部枠体３を装着し、上部枠体３の略中央部に衣類投入口４を形成し、蓋体５で覆っている。蓋体５は軸支部６により後方にて上方へ回動自在に軸支している。上部枠体３の後方には、柔軟剤や予約時の液体洗剤を収納する注水口部材７と、この注水口部材７に水を適時供給する電磁給水弁８を設け、後方パネル部材９で覆っている。
【０００４】
また、上部枠体３の前部に、上部枠体３の一部を覆うようにボタン部１０を有する操作パネル部１１を設け、この操作パネル部１１の内方に、図６に示すように、制御装置１２を設けている。制御装置１２は、ボタン部１０に対応した位置にスイッチ部１３を設けた制御基板１４とこの制御基板１４を内部に収納する制御基板収納部１５とを有し、ねじ１６で操作パネル部１１の裏面に固定している。操作パネル部１１の表面には防水と操作ボタンの内容表示を兼ね備えた操作パネルシート１７を粘着テープにて貼り付けている（例えば、特許文献１参照）。
【０００５】
【特許文献１】
特開２００１−０８７５９５号公報
【０００６】
【発明が解決しようとする課題】
このような従来の構成では、上部枠体３の前部に制御基板収納部１５を形成し、操作パネル部１１の裏面にボスを設け、スイッチ部１３を有する制御装置１２をねじ１６で固定した後、上部枠体３に取り付けるため工数が増え、コストを削減することができないという問題を有していた。
【０００７】
本発明は上記従来の課題を解決するもので、操作パネル部の内方に制御装置を取り付ける際に、ねじ固定を廃止し、生産性を向上してコストを低減することを目的としている。
【０００８】
【課題を解決するための手段】
本発明は上記目的を達成するために、洗濯機本体の上部を覆う上部枠体の一部を操作パネル部により覆い、この操作パネル部の内方に制御装置を設け、制御装置は、制御基板とこの制御基板を内部に収納する制御基板収納部とを有し、制御基板収納部は、操作パネル部の裏面に設けた爪部のみで係止し操作パネル部の裏面に取り付ける構成としたものである。
【０００９】
これにより、操作パネル部の内方に制御装置を取り付ける際に、操作パネル部と制御基板収納部を爪部のみで係止することによりねじ固定を廃止でき、生産性を向上してコストを低減することができる。
【００１０】
【発明の実施の形態】
本発明の請求項１に記載の発明は、洗濯機本体と、この洗濯機本体の上部を覆う上部枠体と、この上部枠体の一部を覆う操作パネル部と、この操作パネル部の内方に設けた制御装置とを備え、前記制御装置は、制御基板とこの制御基板を内部に収納する制御基板収納部とを有し、前記制御基板収納部は、前記操作パネル部の裏面に設けた爪部のみで係止し前記操作パネル部の裏面に取り付ける構成としたものであり、操作パネル部の内方に制御装置を取り付ける際に、操作パネル部と制御装置を爪部にて固定することができ、ねじ固定を廃止できるため、生産性を向上してコストを低減することができる。
【００１１】
請求項２に記載の発明は、上記請求項１に記載の発明において、爪部で係止する位置は、制御基板収納部の左右略対角位置としたものであり、爪部を左右略対角の位置に各１ヶ所設けることで、２ヶ所の爪部にて制御装置を操作パネル部に固定することができ、生産性を向上してコストを低減することができる。
【００１２】
請求項３に記載の発明は、上記請求項１または２に記載の発明において、制御基板収納部には、操作パネル部の裏面に一体形成した位置規制部の対応位置に位置規制対応部を設け、前記位置規制部と位置規制対応部とを係合して位置規制したものであり、制御基板に付属する表示部またはスイッチ部と操作パネル部とのずれを抑えることができ、生産性を向上してコストを低減することができる。
【００１３】
請求項４に記載の発明は、上記請求項１〜３に記載の発明において、位置規制部は爪部の近傍に設けたものであり、爪部の近傍に位置規制部を設けることにより、位置規制と爪部の嵌合力両方を向上することができる。
【００１４】
請求項５に記載の発明は、上記請求項１〜４に記載の発明において、制御基板収納部の外周面にに鍔部を設け、前記鍔部を上部枠体に設けた第１の支持部と操作パネル部に設けた第２の支持部とにより挟持し制御装置を固定するよう構成したものであり、操作パネル部に強大な力が付加されたとしても、制御装置は上部枠体に支えられるため、操作パネル部から外れることもなく、安定した性能を得ることができる。
【００１５】
【実施例】
以下、本発明の一実施例について、図面を参照しながら説明する。なお、従来例と同じ構成のものは同一符号を付して説明を省略する。
【００１６】
図１および図２に示すように、操作パネル部１８は、上部枠体１９の前部に上部枠体１９の一部を覆うように設け、この操作パネル部１８の内方に制御装置２０を設けている。操作パネル部１８は、電源を入り切りする電源ボタン、水量を設定する水量ボタン、行程を選択する行程ボタン、コースを選択できるコースボタン等のボタン部２１と進行状況を表示する表示部２２とを有し、操作パネル部１８の表面に防水と操作ボタンの内容表示を兼ね備えた操作パネルシート２３を粘着テープにて貼り付けている。
【００１７】
制御装置２０はスイッチ部２４、表示部２５、マイクロプロセッサ２６等を配設した制御基板２７と、制御基板２７を内部に収納する制御基板収納部２８とにより構成している。また、操作パネル部１８のボタン部２１の裏面にボス部２９を構成しており、制御基板２７に配設したスイッチ部２４はボス部２９に対応する位置に設けており、ボタン部２１を押すことによりスイッチ部２４が押されるように構成している。
【００１８】
操作パネル部１８の裏面の略両端部に、図３に示すように、爪部３０を対角に設け、爪部３０の近傍に位置規制部３１を設けている。また、制御基板収納部２８の外周には鍔部３２を設け、この鍔部３２に、操作パネル部１８に設けた爪部３０に対応した位置に爪対応部３３を設けるとともに、位置規制部３１に対応した位置に位置規制対応部３４を設けている。爪対応部３３は、図４に示すように、爪部３０との組立時に組立性を向上するため案内部３５を設けている。
【００１９】
さらに、上部枠体１９にリブで構成した第１の支持部３６を設けるとともに、操作パネル部１８にリブで構成した第２の支持部３７を設け、これら第１の支持部３６と第２の支持部３７との間に、制御装置２０の外周面の鍔部３２を挟持し、制御装置２０を固定するよう構成している。ここで、第１の支持部３６を構成するリブは上部枠体１９の一部に設けてもよく、第２の支持部３７を構成するリブは、操作パネル部１８の一部に設けてもよい。
【００２０】
上記構成において作用を説明する。制御基板２７を制御基板収納部２８の内部に収納した構成した制御装置２０を、図４に示すように、操作パネル部１８に設けた位置規制部３１と制御基板収納部２８に設けた位置規制対応部３４とを係合して位置規制するように、爪部３０を案内部３５に沿って爪対応部３３に係止することにより、制御装置２０を操作パネル部１８の裏面に取り付ける。このとき、鍔部３２を上部枠体１９に設けた第１の支持部３６と操作パネル部１８に設けた第２の支持部３７とにより挟持し、制御装置２０を固定する。
【００２１】
ここで、爪部３０を操作パネル部１８の裏面の略両端部に対角に設けているので、爪部３０で係止する位置は、制御基板収納部２８の左右略対角位置となり、爪部３０を左右略対角の位置に各１ヶ所設けることで、２ヶ所の爪部３０にて制御装置２０を操作パネル部１８に固定することができる。
【００２２】
また、操作パネル部１８に設けた位置規制部３１と制御基板収納部２８に設けた位置規制対応部３４とを係合して位置規制することにより、制御基板２７に付属する表示部２５またはスイッチ部２４と操作パネル部１８とのずれを抑えることができる。ここで、位置規制部３１は爪部３０の近傍に設けているので、位置規制と爪部３０の嵌合力両方を向上することができる。
【００２３】
また、鍔部３２を上部枠体１９に設けた第１の支持部３６と操作パネル部１８に設けた第２の支持部３７とにより挟持し制御装置２０を固定しているので、操作パネル部１８に強大な力が付加されたとしても、制御装置２０は上部枠体１９に支えられるため、操作パネル部１８から外れることもなく、安定した性能を得ることができる。
【００２４】
このように本実施例によれば、制御装置２０を構成する制御基板収納部２８を操作パネル部１８の裏面に設けた爪部３０のみで係止し、操作パネル部１８の裏面に取り付ける構成としたので、操作パネル部１８の内方に制御装置２０を取り付ける際に、操作パネル部１８と制御装置２０を爪部３０にて固定することができ、ねじ固定を廃止できるため、生産性を向上してコストを低減することができる。
【００２５】
また、爪部３０で係止する位置は、制御基板収納部２８の左右略対角位置としたので、爪部３０を左右略対角の位置に各１ヶ所設けることで、２ヶ所の爪部３０にて制御装置２０を操作パネル部１８に固定することができ、生産性を向上してコストを低減することができる。
【００２６】
また、制御基板収納部２８には、操作パネル部１８の裏面に一体形成した位置規制部３１の対応位置に位置規制対応部３４を設け、位置規制部３１と位置規制対応部３４とを係合して位置規制したので、制御基板２７に付属する表示部２５またはスイッチ部２４と操作パネル部１８とのずれを抑えることができ、生産性を向上してコストを低減することができる。
【００２７】
また、位置規制部３１は爪部３０の近傍に設けたので、位置規制と爪部３０の嵌合力両方を向上することができる。
【００２８】
また、制御基板収納部２８の外周面にに鍔部３２を設け、鍔部３２を上部枠体１９に設けた第１の支持部３６と操作パネル部１８に設けた第２の支持部３７とにより挟持し、制御装置２０を固定するよう構成したので、操作パネル部１８に強大な力が付加されたとしても、制御装置２０は上部枠体１９に支えられるため、操作パネル部１８から外れることもなく、安定した性能を得ることができる。
【００２９】
【発明の効果】
以上のように、本発明の請求項１に記載の発明によれば、操作パネル部の内方に設ける制御装置は、制御基板とこの制御基板を内部に収納する制御基板収納部とを有し、制御基板収納部を操作パネル部の裏面に設けた爪部のみで係止し、操作パネル部の裏面に取り付ける構成としたから、操作パネル部の内方に制御装置を取り付ける際に、操作パネル部と制御基板収納部を爪部のみで係止することによりねじ固定を廃止でき、生産性を向上してコストを低減することができる。
【図面の簡単な説明】
【図１】本発明の一実施例の洗濯機の要部断面図
【図２】同洗濯機の縦断面図
【図３】同洗濯機の一部切欠した要部分解斜視図
【図４】同洗濯機の要部断面図
【図５】従来の洗濯機の縦断面図
【図６】同洗濯機の要部断面図
【符号の説明】
１  洗濯機本体
１８  操作パネル部
１９  上部枠体
２０  制御装置
２７  制御基板
２８  制御基板収納部
３０  爪部
【図１】
2004215825.tif 000003
【図２】
2004215825.tif 000004
【図３】
2004215825.tif 000005
【図４】
2004215825.tif 000006
【図５】
2004215825.tif 000007
【図６】
2004215825.tif 000008